(57)【要約】      （修正有）【課題】様々な流量メータから流量データを収集することのできるデータ収集装置を提供する。【解決手段】データ収集装置１００は、メータ３００との間の通信に基づいてメータ３００の通信方式を判定する＃１。データ収集装置１００は、端末装置５００からの信号を受信してＳ７、その信号に基づいてメータの通信方式におけるパラメータを設定するＳ８。データ収集装置１００は、メータ３００からデータを受信しＳ９、そのデータに対して上記パラメータを用いることで流量を算出するＳ１０。【選択図】図４
2014163879.tif 000002
【特許請求の範囲】
【請求項１】
流量メータから流量データを収集するためのデータ収集装置であって、
前記流量メータと通信するための第１の通信手段と、
制御装置と通信するための第２の通信手段と、
前記流量メータとの間の通信に基づいて前記流量メータの通信方式を判定するための判定手段と、
前記制御装置から前記流量メータの通信方式におけるパラメータの入力を受け付けるための入力手段と、
前記流量メータとの間の通信方式が前記判定手段にて判定された通信方式となるように前記第１の通信手段での通信方式を制御するための通信制御手段と、
前記流量メータから流量データの入力を受け付けて、前記制御装置から入力された前記パラメータを用いて流量を算出するための算出手段とを備える、データ収集装置。
【請求項２】
前記判定手段は、当該データ収集装置からの各通信方式での要求に応じた前記流量メータからの応答に基づいて、前記流量メータの通信方式を判定する、請求項１に記載のデータ収集装置。
【請求項３】
前記パラメータを記憶するための記憶手段と、
前記記憶手段に記憶されている前記パラメータを、前記制御装置から入力された前記パラメータに更新するための更新手段とをさらに備え、
前記算出手段は、前記記憶手段から前記パラメータを読み出して前記流量の算出に用いる、請求項１または２に記載のデータ収集装置。
【請求項４】
データ収集装置で流量メータから流量データを収集する方法であって、
前記データ収集装置と前記流量メータとの間の通信に基づいて、前記データ収集装置にて前記流量メータの通信方式を判定するステップと、
前記データ収集装置が制御装置からの信号を受信して、前記信号に基づいて前記流量メータの前記通信方式におけるパラメータを設定するステップと、
前記流量メータから前記データ収集装置に対して、前記通信方式にて流量データを出力するステップと、
前記データ収集装置が、前記流量メータからの流量データに対して前記パラメータを用いることで流量を算出するステップとを備える、データ収集方法。
【請求項５】
前記判定するステップでは、前記データ収集装置から前記流量メータに対して異なる通信方式で応答を要求し、前記流量メータから応答があった通信方法を、前記流量メータの通信方法と特定する、請求項４に記載のデータ収集方法。
【発明の詳細な説明】
【技術分野】
【０００１】
この発明はデータ収集装置およびデータ収集方法に関し、特に、流量データを収集するデータ収集装置およびデータ収集方法に関する。
【背景技術】
【０００２】
従来、ガスメータや水道メータからの流量データの出力方式として、パルス方式と電文方式とがある。各方式には、たとえばパルスレートや、流量データを表わす桁数などのパラメータが設定されており、そのパラメータは、メータによって異なっている。
【０００３】
特開２００８−２７５４５７号公報（以下、特許文献１）や特開２００８−２２４３９０号公報（以下、特許文献２）に開示されているように、これらメータと通信して流量データを収集するデータ収集装置がある。データ収集装置もまた、ガスメータや水道メータとの間の通信方式やその設定が予め規定されている。
【先行技術文献】
【特許文献】
【０００４】
【特許文献１】特開２００８−２７５４５７号公報
【特許文献２】特開２００８−２２４３９０号公報
【発明の概要】
【発明が解決しようとする課題】
【０００５】
そのため、従来、データ収集装置では、通信方式が対応したメータや、その設定が対応したメータからしか流量データを収集することができなかった。それ故、すでにガスメータや水道メータが取り付けられている既築の家屋などにデータ収集装置を設置する場合、既設のメータがデータ収集装置の通信方式やその設定に対応していないものであるとメータを取り換えなければならない、という問題があった。
【０００６】
本発明はこのような問題に鑑みてなされたものであって、様々な流量メータから流量データを収集することのできるデータ収集装置およびデータ収集方法を提供することを目的としている。
【課題を解決するための手段】
【０００７】
上記目的を達成するために、本発明のある局面に従うと、データ収集装置は流量メータから流量データを収集するためのデータ収集装置であって、流量メータと通信するための第１の通信手段と、制御装置と通信するための第２の通信手段と、流量メータとの間の通信に基づいて流量メータの通信方式を判定するための判定手段と、制御装置から流量メータの通信方式におけるパラメータの入力を受け付けるための入力手段と、流量メータとの間の通信方式が判定手段にて判定された通信方式となるように第１の通信手段での通信方式を制御するための通信制御手段と、流量メータから流量データの入力を受け付けて、制御装置から入力されたパラメータを用いて流量を算出するための算出手段とを備える。
【０００８】
好ましくは、判定手段は、当該データ収集装置からの各通信方式での要求に応じた流量メータからの応答に基づいて、流量メータの通信方式を判定する。
【０００９】
好ましくは、データ収集装置は、パラメータを記憶するための記憶手段と、記憶手段に記憶されているパラメータを、制御装置から入力されたパラメータに更新するための更新手段とをさらに備え、算出手段は、記憶手段からパラメータを読み出して流量の算出に用いる。
【００１０】
本発明の他の局面に従うと、データ収集方法はデータ収集装置で流量メータから流量データを収集する方法であって、データ収集装置と流量メータとの間の通信に基づいて、データ収集装置にて流量メータの通信方式を判定するステップと、データ収集装置が制御装置からの信号を受信して、信号に基づいて流量メータの通信方式におけるパラメータを設定するステップと、流量メータからデータ収集装置に対して、通信方式にて流量データを出力するステップと、データ収集装置が、流量メータからの流量データに対してパラメータを用いることで流量を算出するステップとを備える。
【００１１】
好ましくは、判定するステップでは、データ収集装置から流量メータに対して異なる通信方式で応答を要求し、流量メータから応答があった通信方法を、流量メータの通信方法と決定する。
【発明の効果】
【００１２】
この発明によると、様々な流量メータから流量データを収集することができる。
【図面の簡単な説明】
【００１３】
【図１】実施の形態にかかる流量データ収集システムの構成の具体例を示す図である。
【図２】流量データ収集システムに含まれるデータ収集装置の装置構成の具体例を示すブロック図である。
【図３】データ収集装置の制御部の構成の具体例を表わしたブロック図である。
【図４】データ収集システムでの動作概要を表わした図である。
【図５】データ収集装置の機能構成の具体例を表わすブロック図である。
【図６】データ収集装置での動作の流れの具体例を表わすフローチャートである。
【発明を実施するための形態】
【００１４】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１５】
＜システム構成＞
図１は、本実施の形態にかかる流量データ収集システムの構成の具体例を示す図である。図１を参照して、本実施の形態にかかる流量データ収集システムは、ガスや水道などの流量を測定するための機器である流量メータの具体例としてのガスメータ３００Ａおよび水道メータ３００Ｂ（これらを代表させてメータ３００とも称する）と、メータ３００から流量データを収集するためのデータ収集装置１００と、データ収集装置１００で収集された流量データに基づいた各メータ３００で測定されたガスや水道の積算値をデータ収集装置１００から受信して表示するための装置の一例であって、後述するように、データ収集装置１００に対する制御装置の一例でもある端末装置５００と、データ収集装置１００と端末装置５００との間の通信を中継するための装置である通信中継装置５００Ａとを含む。
【００１６】
端末装置５００は、通信機能および表示入力機能（たとえばタッチパネル等）を搭載した、専用の装置であることが想定される。しかしながら、他の例として、端末装置５００は、携帯電話機やスマートフォンなどのモバイル端末やＰＣ（パーソナルコンピュータ）やいわゆるタブレット端末などの機器に専用のプログラムをインストールすることで実現されてもよい。
【００１７】
メータ３００およびデータ収集装置１００、データ収集装置１００および通信中継装置５００Ａ、通信中継装置５００Ａおよび端末装置５００は、それぞれ通信可能である。
【００１８】
メータ３００とデータ収集装置１００との間の通信は様々な通信方式に従ったものであって、無線通信であっても有線通信であってもよい。
【００１９】
データ収集装置１００と端末装置５００との間の通信は、一例として、通信中継装置５００Ａを介して行なうものとしている。それぞれ、無線通信を行なう例が挙げられる。しかしながら、他の例として、端末装置５００が通信中継装置５００Ａを含み、これらが１つの装置であってもよい。つまり、データ収集装置１００と端末装置５００とが直接に通信してもよい。その意味で、通信中継装置５００Ａもデータ収集装置１００の制御装置の一例であると言える。以降の例では、端末装置５００が制御装置の一例であるものとして、後述するようにメータ３００との間の通信方式におけるパラメータを端末装置５００がデータ収集装置１００に対して送信して設定するものとしているが、上記のように、端末装置５００も通信中継装置５００Ａもデータ収集装置１００の一例であるとして、通信中継装置５００Ａも端末装置５００と同様に、データ収集装置１００に対してパラメータを送信し設定してもよい。
【００２０】
さらには、制御装置である端末装置５００または通信中継装置５００Ａがデータ収集装置１００に含まれて、これらが１つの装置であってもよい。つまり、データ収集装置１００の制御部１０Ａが端末装置５００または通信中継装置５００Ａの機能を実現してもよい。
【００２１】
メータ３００は、ガスや水など測定対象の流体が通過する位置に設けられて、その流体の使用量に相当する。所定期間でのその位置の通過量を測定する。そして、メータ３００は、流量の測定データ（流量データ）をデータ収集装置１００に対して送信する。データ収集装置１００は、流量データからメータ３００の測定データを読み取り、その測定データから、予め規定した期間（たとえば１日や１カ月等）の使用量として、その期間の使用量を表わす値である積算値を算出する。そして、データ収集装置１００は、算出した積算値を端末装置５００に対して送信する。端末装置５００は、受信した積算値を表示することで、ユーザに対してガスや水などの使用量を報知する。
【００２２】
＜装置構成＞
図２は、データ収集装置１００の装置構成の具体例を示すブロック図である。図２を参照して、データ収集装置１００は、ＣＰＵ（Central  Processing  Unit）などを含み、装置全体を制御するための制御部１０Ａと、スイッチなどで構成される操作部２１と、ＬＥＤ（Light  Emitting  Diode）などで構成される表示部２２と、メータ３００と通信するためのメータ通信部２３と、端末装置５００と通信するためのタブレット通信部２４と、電源２５とを含む。
【００２３】
メータ３００の通信方式としては、たとえば、電文方式やパルス方式が挙げられる。メータ３００の通信方式が上記２つの方式である場合、メータ通信部２３は、少なくともこの２つの通信方式での通信が可能であって、メータ３００の通信方式に応じて自身の通信方式を切り替え可能である。もちろん、その他の通信方式がある場合には、メータ通信部２３はその通信方式での通信も可能である。
【００２４】
タブレット通信部２４は、一例として端末装置５００と無線通信を行なう場合、図示されたようにアンテナを有し、アンテナを介して端末装置５００との間で無線通信を行なう。
【００２５】
制御部１０Ａはこれら各部を制御する。図３は、制御部１０Ａの構成の具体例を表わしたブロック図である。図３を参照して、制御部１０Ａは、演算装置であるＣＰＵ１０と、ＣＰＵ１０で実行されるプログラムなどを記憶するためのメモリであるＲＯＭ（Read  Only  Memory）１１と、ＣＰＵ１０で上記プログラムを実行する際の記憶領域ともなるためのメモリであるＲＡＭ（Random  Access  Memory）１２と、電源２５と接続して電力供給を受け付けるための電源Ｉ／Ｆ（インタフェース）１３と、表示部２２と接続するための表示部Ｉ／Ｆ１４と、操作部２１と接続するための操作部Ｉ／Ｆ１５と、メータ通信部２３と接続するための第１通信Ｉ／Ｆ１６と、タブレット通信部２４と接続するための第２通信Ｉ／Ｆ１７とを含む。
【００２６】
＜動作概要＞
図４は、本実施の形態にかかる流量データ収集システムでの動作概要を表わした図である。図４を参照して、初期の設定動作として、データ収集装置１００の電源がＯＮされたりリセットされたり、該システムに新たなメータ３００が接続されたりして初期状態となると、データ収集装置１００は各メータ３００の通信方式を特定する動作（＃１）を行なう。動作（＃１）は、具体例として、データ収集装置１００がメータ３００に対して、まず１つの通信方式（たとえば電文方式）でデータの送信を要求する（ステップＳ１）。データとしては、たとえばセキュリティデータなどの、メータ３００を特定できるようなデータであってよい。この要求に対してメータ３００から回答があると（ステップＳ２）、データ収集装置１００は、その通信方式（電文方式）がメータ３００の通信方式であると特定することができる（ステップＳ３）。メータ３００から回答とするデータの送信がなかった場合には、データ収集装置１００はその通信方式がメータ３００の通信方式ではないものと特定する。この場合、対話可能な他の通信方式がある場合には次の通信方式でデータの送信を要求する。つまり、データ収集装置１００は、ステップＳ１で可能な通信方式を順に採用してメータ３００に対してデータの送信を要求し、ステップＳ２でそれに対して回答としてデータが送信されてくると、ステップＳ３でその通信方式をそのメータ３００の通信方式であると特定することができる。この例の場合、上記ステップＳ３で電文方式と特定されない場合、データ収集装置１００はメータ３００の通信方式をパルス方式と特定することができる。データ収集装置１００は、メータ３００ごとに上記ステップＳ１〜Ｓ３の通信方式を特定する動作（＃１）を繰り返すことで、各メータ３００の通信方式を特定することができる。
【００２７】
各メータ３００の通信方式を特定すると、データ収集装置１００は、メータ３００ごとの通信方式におけるパラメータを設定する（ステップＳ４）。設定するとは、一例として、メモリの、パラメータを記憶するための所定の記憶領域に用いるパラメータとして記憶させておくことを指す。ステップＳ４では、たとえば、データ収集装置１００が予め通信方式ごとのパラメータの初期値を記憶しておくことで、その初期値を設定することができる。または、データ収集装置１００が前回設定したパラメータを記憶しておくことで、記憶している前回のパラメータを設定することができる。この段階では、予めメモリに格納されているパラメータをそのまま用いることになる。なお、ここで、パラメータとは、通信方式が電文方式である場合には、測定データの小数点の位置を表わす桁である最小桁が該当する。また、通信方式がパルス方式である場合には、パルスレートが該当する。
【００２８】
各メータ３００の通信方式に対してパラメータが設定されると、データ収集装置１００は流量の積算値を算出する動作（＃２）を行なう。動作（＃２）は、具体例として、まず、メータ３００からデータ収集装置１００に対して流量データが転送される（ステップＳ５）。メータ３００からデータ収集装置１００に対しては、たとえば一定時間間隔や、データ収集装置１００から要求があったタイミングや、予め規定したタイミングなどに流量データが転送される。データ収集装置１００はメータ３００から流量データを受信すると、上記ステップＳ４で設定したパラメータをメモリから読み出して適用し、その流量データからメータ３００で測定された流量の積算値を算出する（ステップＳ６）。
【００２９】
データ収集装置１００は流量の積算値を算出する動作（＃２）において、上記ステップＳ５、Ｓ６を繰り返す。さらに動作（＃２）において、データ収集装置１００が所定のタイミングで算出された積算値を端末装置５００に送信することで、端末装置５００の図示しないディスプレイに表示されるなどしてユーザに報知されてもよい。
【００３０】
このとき、端末装置５００は、ユーザからパラメータの入力を受け付けると、そのパラメータを表わす信号をデータ収集装置１００に送信する（ステップＳ７）。ここでは、たとえば、データ収集装置１００の電源がＯＮされたりリセットされたり、該システムに新たなメータ３００が接続されたりしたタイミングに、端末装置５００は各メータ３００の通信方式を図示しないディスプレイに提示して、それぞれの最小桁やパルスレートの入力を受け付けることができる。一例として、端末装置５００は入力欄を表示して、そこに直接の入力を受け付け、その値をデータ収集装置１００に送信するようにしてもよい。また、他の例として、端末装置５００は、予めメータ３００の型番やメーカに関連付けてパラメータを記憶しておき、メータ３００の型番やメーカの入力を受け付けることで自動的にパラメータを特定し、特定したパラメータをデータ収集装置１００に送信するようにしてもよい。インターネット等を介してアクセス可能な他の装置にメータ３００の型番やメーカに関連付けてパラメータが、記憶されていてもよく、その場合には、端末装置５００は、メータ３００の型番やメーカの入力を受け付けることで上記他の装置にアクセスして関連付けられたパラメータを取得し、取得したパラメータをデータ収集装置１００に送信するようにしてもよい。また、他の例として、端末装置５００は、予め規定された期間（たとえば１カ月）分の請求書に記載された使用量の入力を受け付けることで、自動的に入力された値から最小桁やパルスレートなどであるパラメータを特定し、特定したパラメータをデータ収集装置１００に送信するようにしてもよい。
【００３１】
動作（＃２）中にパラメータの端末装置５００からパラメータを表わす信号を受信すると、データ収集装置１００は、メモリに記憶されているパラメータを受信したパラメータに更新する（ステップＳ８）。そして、データ収集装置１００は、以降、更新したパラメータを用いて流量の積算値を算出する動作（＃２）を行なう。すなわち、データ収集装置１００は、上記ステップＳ８のパラメータの更新の後に流量データをメータ３００から受信すると（ステップＳ９）、上記ステップＳ８で更新されたパラメータをメモリから読み出して適用し、その流量データからメータ３００で測定された流量の積算値を算出する（ステップＳ１０）。以降、同様に、データ収集装置１００は、動作（＃２）で上記ステップＳ９、Ｓ１０を繰り返す。
【００３２】
＜機能構成＞
図５は、上記動作を行なうためのデータ収集装置１００の機能構成の具体例を表わすブロック図である。図５に表わされた各機能は、データ収集装置１００のＣＰＵ１０がＲＯＭ１１に記憶されているプログラムをＲＡＭ１２上に読み出して実行することで、主に、ＣＰＵ１０上に形成されるものである。しかしながら、少なくとも一部が、図２や図３に表わされたハードウェア構成、その他の電気回路などによって実現されてもよい。
【００３３】
図５を参照して、ＲＡＭ１２などのメモリには、メータ３００ごとのパラメータ、または、通信方式に応じたパラメータの初期値を記憶するための記憶領域であるパラメータ記憶部２０１が設けられる。
【００３４】
さらに図５を参照して、ＣＰＵ１０は、メータ３００との間の通信に基づいてメータ３００の通信方式を判定するための判定部１０１と、メータ３００との間の通信方式が判定された通信方式となるようにメータ通信部２３での通信方式を制御するための通信制御部１０２と、タブレット通信部２４で端末装置５００と通信することで端末装置５００からパラメータの入力を受け付けるためのパラメータ入力部１０３と、パラメータ記憶部２０１に記憶されているパラメータを端末装置５００から入力されたパラメータに更新するための更新部１０４と、メータ通信部２３がメータ３００と通信することで流量データの入力を受け付けるための流量データ入力部１０５と、メータ３００からの流量データに対してパラメータ記憶部に記憶されているパラメータの初期値または端末装置５００から入力されたパラメータを用いて流量の積算値を算出するための算出部１０６と、タブレット通信部２４で端末装置５００と通信を行なって算出された積算値を端末装置５００に対して送信するための送信部１０７とを含む。
【００３５】
＜動作概要＞
図６は、データ収集装置１００での動作の流れの具体例を表わすフローチャートである。図６のフローチャートに表わされた動作は、データ収集装置１００の電源がＯＮされたりリセットされたり、該システムに新たなメータ３００が接続されたりして初期状態となったタイミングで開始されるものである。この動作は、データ収集装置１００のＣＰＵ１０がＲＯＭ１１に記憶されているプログラムをＲＡＭ１２上に読み出して実行し、図５の各機能を発揮させることによって実現される。
【００３６】
詳しくは、図６を参照して、初期状態となると、ＣＰＵ１０は、上述の、各メータ３００の通信方式を特定する動作（＃１）を実行する。具体例として、ＣＰＵ１０は、まず、電文方式でメータ３００にデータの送信を要求する。ここでは、ＣＰＵ１０は、一例としてセキュリティデータの送信を要求するなどの、メータ３００自身を問い合わせるようにしてもよい（ステップＳ１０１）。この要求に応じてメータ３００から回答を受信すると（ステップＳ１０３でＹＥＳ）、ＣＰＵ１０は、メータ３００の通信方式を電文方式と特定することができる（ステップＳ１０５）。この場合、ＣＰＵ１０は、電文方式のパラメータとして測定データの小数点の位置を表わす桁である最小桁を設定する（ステップＳ１０７）。
【００３７】
上記ステップＳ１０１の電文方式での問い合わせに対してメータ３００からの回答がなかった場合（ステップＳ１０３でＮＯ）、ＣＰＵ１０は、メータ３００の通信方式をパルス方式と特定することができる（ステップＳ１１３）。この場合、ＣＰＵ１０は、パルス方式のパラメータとして、パルスレートなどを設定する（ステップＳ１１５）。
【００３８】
なお、電文方式およびパルス方式の他の、対話可能な通信方式がある場合、ＣＰＵ１０は、他の通信方式を順に同じようにして確認することで、メータ３００の通信方式を特定することができる。
【００３９】
各メータ３００の通信方式を特定し、それぞれの通信方式におけるパラメータを設定すると、ＣＰＵ１０は、上述の、流量の積算値を算出する動作（＃２）を実行する。具体例として、ＣＰＵ１０は、メータ３００の通信方式が電文方式であった場合、そのメータ３００からの流量データの、上記ステップＳ１０７で設定したパラメータである最小桁からメータ３００での測定データを取得し（ステップＳ１１７）、所定の計算式を用いて積算値を算出する（ステップＳ１２１）。また、メータ３００の通信方式がパルス方式であった場合、そのメータ３００からの流量データの、上記ステップＳ１１５で設定したパラメータであるパルスレートからメータ３００での測定データを取得し（ステップＳ１１９）、同様に、所定の計算式を用いて積算値を算出する（ステップＳ１２１）。その他、メータ３００の通信方式が他の方式であっても、同様である。
【００４０】
ＣＰＵ１０は、算出した積算値を端末装置５００に送信する（ステップＳ１２３）。この送信は、端末装置５００から要求されたタイミングであってもよいし、予め規定されたタイミングであってもよい。ＣＰＵ１０は、上記ステップＳ１２１で算出した積算値をメモリに記憶しておき、上記タイミングに達したことを検知すると、メモリから積算値を読み出して端末装置５００に対して送信する。
【００４１】
ＣＰＵ１０は、端末装置５００からパラメータの入力を受け付けない場合（ステップＳ１２５でＮＯ）、上記ステップＳ１０７やステップＳ１１５で設定したパラメータのまま、上記の流量の積算値を算出する動作（＃２）（ステップＳ１１７〜Ｓ１２４）を繰り返す。
【００４２】
一方、端末装置５００からパラメータの入力を受け付けると（ステップＳ１２５でＹＥＳ）、ＣＰＵ１０は、メモリに記憶されているパラメータを受信したパラメータに更新する処理を行なう（ステップＳ１２７）。ここでは、ＣＰＵ１０は、メモリに通信方式に応じて予め記憶されているパラメータや、以前にメータ３００に対して用いたパラメータとして記憶されているパラメータなどの、当該メータ３００について先にメモリに記憶されているパラメータを、受信したパラメータで上書きするなどして更新する。
【００４３】
その後、ＣＰＵ１０は、更新されたパラメータを用いて上記の流量の積算値を算出する動作（＃２）（ステップＳ１１７〜Ｓ１２４）を繰り返す。
【００４４】
＜実施の形態の効果＞
データ収集装置１００が上記のように構成されて以上のように動作することで、本実施の形態にかかる流量データ収集システムでは、データ収集装置１００が流量データの収集対象とするメータ３００の通信方式を自動で判定し、設定することができる。また、データ収集装置１００に対して制御装置である端末装置５００や通信中継装置５００Ａから、流量データの収集対象とするメータ３００の通信方式に応じたパラメータを設定することができる。
【００４５】
従来、上述のようにデータ収集装置では通信方式やそのパラメータが予め規定されていたため、ガスや水道を導入する際にはデータ収集装置に対応したメータを設置する必要があったが、本実施の形態にかかる流量データ収集システムを利用することで、１つのデータ収集装置１００で様々なメータ３００に対応することができる。つまり、従来は、データ収集装置１００に対応するメータに取り換える必要が既築の家屋等へも、すでに設置されているメータにデータ収集装置１００を対応させることが可能であるため、メータを取り換えることなく本実施の形態にかかる流量データ収集システムを導入することが可能になる。
【００４６】
＜他の例＞
さらに、携帯電話機やスマートフォンなどのモバイル端末やＰＣやいわゆるタブレット端末などの機器にインストールされることで、これら機器を上記の端末装置５００として機能させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００４７】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００４８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００４９】
提供されるプログラム製品は、ハードディスクなどのプログラム格納部にインストールされて実行される。なお、プログラム製品は、プログラム自体と、プログラムが記録された記録媒体とを含む。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
１０  ＣＰＵ、１０Ａ  制御部、１１  ＲＯＭ、１２  ＲＡＭ、１３  電源Ｉ／Ｆ、１４  表示部Ｉ／Ｆ、１５  操作部Ｉ／Ｆ、１６  第１通信Ｉ／Ｆ、１７  第２通信Ｉ／Ｆ、２１  操作部、２２  表示部、２３  メータ通信部、２４  タブレット通信部、２５  電源、１００  データ収集装置、１０１  判定部、１０２  通信制御部、１０３  パラメータ入力部、１０４  更新部、１０５  流量データ入力部、１０６  算出部、１０７  送信部、２０１  パラメータ記憶部、３００  メータ、３００Ａ  ガスメータ、３００Ｂ  水道メータ、５００  端末装置、５００Ａ  通信中継装置。
【図１】
2014163879.tif 000003
【図２】
2014163879.tif 000004
【図３】
2014163879.tif 000005
【図４】
2014163879.tif 000006
【図５】
2014163879.tif 000007
【図６】
2014163879.tif 000008